(57)【要約】【課題】  メータに表示される車両情報の内容を理解しやすくする。【解決手段】  メータに車両情報を表示する際に、前記メータとは異なる表示装置上で、前記車両情報の詳細を表示する、表示システムが開示される。例えば、前記詳細は、前記車両情報に係る危険度の分類、前記車両情報が出力される要因、及び、前記車両情報の出力時の対処方法のうちの少なくともいずれか１つを含む。【選択図】  図９
2020069979.tif 000002
【特許請求の範囲】
【請求項１】
メータに車両情報を表示する際に、前記メータとは異なる表示装置上で、前記車両情報の詳細を表示する、表示システム。
【請求項２】
前記詳細は、前記車両情報に係る危険度の分類、前記車両情報が出力される要因、及び、前記車両情報の出力時の対処方法のうちの少なくともいずれか１つを含む、請求項１に記載の表示システム。
【請求項３】
前記車両情報は、アイコン表示で出力される各種の警報を含み、
前記表示装置に、各種の前記警報を危険度別に表示することで、前記分類を表示する、請求項２に記載の表示システム。
【請求項４】
前記車両情報は、アイコン表示で出力される各種の警報を含み、
前記表示装置に、前記警報を危険度別に分類した態様で表す第１画像、及び、前記警報に係る対処の仕方を表す第２画像を含む複数種類の画像を、選択的に表示することで、前記詳細を表示する、請求項１に記載の表示システム。
【請求項５】
前記メータにおける前記車両情報は、前記表示装置に前記第１画像が表示された状態から、前記第２画像が表示された状態に遷移した場合に、非表示とされる、請求項４に記載の表示システム。
【請求項６】
前記詳細は、前記車両情報の出力時の対処方法を含み、
前記メータに表示される前記車両情報が複数の警報を含む場合に、前記メータに対応付けられたユーザーインターフェースを介して前記複数の警報のうちの１つの警報が選択されると、選択された警報に係る対処の仕方を前記表示装置に表示することで、前記対処方法を表示する、請求項１に記載の表示システム。
【発明の詳細な説明】
【技術分野】
【０００１】
本開示は、表示システムに関する。
【背景技術】
【０００２】
車体状態の基本情報やカメラ画像を表示する表示装置上に、警報アイコンとともに、警報アイコンの詳細情報（表示内容と異常情報に対する簡単な対処方法に係る文字情報）を出力する技術が知られている（例えば特許文献１参照）。
【先行技術文献】
【特許文献】
【０００３】
【特許文献１】特開２０１２−０７２６１７号公報
【発明の概要】
【発明が解決しようとする課題】
【０００４】
しかしながら、上記のような従来技術は、限られた表示領域に比較的多くの種類の車両情報を表示するメータに対しては、適用することが難しい。警報アイコンの詳細情報を出力するスペースの確保が困難であるためである。
【０００５】
そこで、１つの側面では、本発明は、メータに表示される車両情報の内容を理解しやすくすることを目的とする。
【課題を解決するための手段】
【０００６】
１つの側面では、メータに車両情報を表示する際に、前記メータとは異なる表示装置上で、前記車両情報の詳細を表示する、表示システムが提供される。
【発明の効果】
【０００７】
１つの側面では、本発明によれば、メータに表示される車両情報の内容を理解しやすくすることが可能となる。
【図面の簡単な説明】
【０００８】
【図１】一実施例による表示システムの一例を示す概略的なシステム構成図である。
【図２】メータの一例を示す正面図である。
【図３】車両情報に含まれる警報の説明図である。
【図４】メータ車両情報の表示レイアウトの一例を示す図である。
【図５】メータ車両情報の表示例を示す図である。
【図６】ステアリングハンドルに設けられる操作部の説明図である。
【図７】図６のＱ部の拡大図である。
【図８】ナビ車両情報の表示レイアウトの一例を示す図である。
【図９】ナビ車両情報の表示例を示す図である。
【図１０】ナビ車両情報の表示例を示す図である。
【図１１】動作例に係るタイミングチャートである。
【図１２】メータＥＣＵにより実行される処理の一例を示すフローチャートである。
【発明を実施するための形態】
【０００９】
以下、添付図面を参照しながら各実施例について詳細に説明する。
【００１０】
図１は、一実施例による表示システム１の一例を示す概略的なシステム構成図である。
【００１１】
表示システム１は、車両に搭載される。車両の種類は、任意であり、自動車のみならず、建設車両や二輪車、鉄道等であってもよい。以下では、一例として、車両は自動車であるとする。
【００１２】
表示システム１は、メータ１０と、表示装置１２と、メータＥＣＵ（Ｅｌｅｃｔｒｏｎｉｃ  Ｃｏｎｔｒｏｌ  Ｕｎｉｔ）２０と、ナビゲーションＥＣＵ３０とを含む。
【００１３】
メータ１０は、車両のインストルメントパネルに搭載される。メータ１０は、車両の運転者に提示するのが好ましい各種車両情報を出力する。メータ１０は、例えば、ドットマトリクス型のＴＦＴ（Ｔｈｉｎ  Ｆｉｌｍ  Ｔｒａｎｓｉｓｔｏｒ）液晶パネル等のような液晶表示パネルを有し、バックライトユニット（図示せず）からの光を受けて、画像により車両情報を出力する。
【００１４】
表示装置１２は、メータ１０とは異なる表示装置である。表示装置１２は、車両のインストルメントパネルに搭載されるディスプレイ（例えばセンターコンソールディスプレイ）である。表示装置１２は、液晶ディスプレイや有機ＥＬ（Ｅｌｅｃｔｒｏ−Ｌｕｍｉｎｅｓｃｅｎｃｅ）ディスプレイ等であってよい。
【００１５】
表示装置１２には、地図情報のようなナビゲーション情報や、ＴＶのようなマルチメディア系の情報、カメラ（図示せず）からの画像情報等が出力される。また、表示装置１２には、車両情報や車両設定情報等が表示可能である。
【００１６】
メータＥＣＵ２０は、メータ１０を制御する。メータＥＣＵ２０は、ＣＡＮ（ｃｏｎｔｒｏｌｌｅｒ  ａｒｅａ  ｎｅｔｗｏｒｋ）などの適切なバスを介して、車両内の各種の電子部品（車速センサのようなセンサや各種ＥＣＵ）に接続される。メータＥＣＵ２０は、車両内の各種の電子部品から供給される情報に基づいて、各種の車両情報をメータ１０に出力する。
【００１７】
ナビゲーションＥＣＵ３０は、表示装置１２上に、地図情報や自車位置情報のような各種ナビゲーション情報を出力する。
【００１８】
また、本実施例では、ナビゲーションＥＣＵ３０は、メータＥＣＵ２０と連携して、メータ１０で表示される車両情報（及びその詳細情報）を、表示装置１２に表示する。
【００１９】
以下では、区別のため、表示装置１２上に表示される車両情報を、「ナビ画面車両情報」と称し、メータ１０上に表示される車両情報を、「メータ車両情報」と称する。
【００２０】
図２は、メータ１０の一例を示す正面図である。
【００２１】
図２に示す例では、メータ１０は、ＴＦＴ液晶パネルが背後に設けられる表示領域Ａ１と、その周辺の表示領域Ａ２とを含む。なお、変形例では、表示領域Ａ１及び表示領域Ａ２のうちの一方のみが設けられてもよいし、表示領域Ａ１に代えて、機械的な針で速度等を示す態様であってよい。すなわち、メータ１０は、メータ車両情報を表示できる構成であれば任意である。
【００２２】
図３は、車両情報に含まれる警報（ワーニング）の説明図である。警報は、図３に示すように、多数存在し（図３では、警報ＡＬ１からＡＬ１３の１３個）、発生するイベント（例えば異常イベント）に応じて出力対象の警報が決まる。なお、１つのイベントに対して出力対象の警報が２つ以上ある場合もありうる。警報は、図３に示すように、記号や表記が付与された各種の抽象的なアイコン表示からなる。
【００２３】
図４は、メータ車両情報の表示レイアウトの一例を示す図である。
【００２４】
図４では、メータ車両情報の表示画像Ｇ１０が示される。表示画像Ｇ１０は、メータ１０に割り込み式で出力されてもよい。例えば、メータ１０には車速情報やエンジン回転数情報が出力されている状態において、表示画像Ｇ１０が一部又は全体に重畳される態様で出力されてもよい。
【００２５】
表示画像Ｇ１０は、２つ以上の警報（図３参照）を表示するための画像領域Ｇ１１と、選択中の警報を表示するための画像領域Ｇ１２と、キャラクタの顔を表示するための画像領域Ｇ１３と、警報についての簡易な説明を表示するための画像領域Ｇ１４とを含む。
【００２６】
なお、画像領域Ｇ１１に、複数の警報が出力される場合、左側の方が危険度が高い（緊急性が高い）警報が出力されてもよい。
【００２７】
図５は、メータ車両情報の表示例を示す図である。図５では、図４に示したレイアウト例に従ってメータ車両情報が表示されている。
【００２８】
具体的には、図５に示す例では、画像領域Ｇ１１には、８個の警報が表示されている。ここで、複数の警報が図５に示すように一斉に表示されていると、ユーザは、どの警報を重視すべきか判断し難い場合がある。このため、好ましくは、図５に示すように、危険度の高低を示すガイド表示ＧＤ１、ＧＤ２が示される。この場合、ユーザは、左側の方が危険度が高い（緊急性が高い）警報であることを容易に把握できる。
【００２９】
また、画像領域Ｇ１２には、選択中の警報（この例では、エンジンオイル系の警報）が表示されている。ユーザは、画像領域Ｇ１１内の複数の警報のうちの、１つの警報を選択して、画像領域Ｇ１２に表示させることができる。この選択は、例えば画像領域Ｇ１１内に表示されるカーソルＣＳを移動させることで実現されてよい。カーソルＣＳの移動のための操作は、例えば図６及び図７に示すように、ステアリングハンドル９０に設けられる操作部８０（メータに対応付けられたユーザーインターフェースの一例）により可能とされてもよい。図７は、図６のＱ部の拡大図である。図７では、操作部８０は、左ボタン８１、右ボタン８２、上ボタン８３、下ボタン８４、及びストップボタン８５を含む。この場合、ユーザは、左ボタン８１又は右ボタン８２を操作することで、カーソルＣＳを移動させることができる。また、ユーザは、ストップボタン８５を操作することで、表示画像Ｇ１０の割り込みを終了させることができる。
なお、本実施例において、警報表示の選択は、ユーザの操作によるものを示したが、例えば、警報表示の選択が所定時間毎に順に表示切り換えするものであってもよい。この場合、ユーザによるストップボタン８５の操作を契機として、この自動的な表示切り換え（警報の選択移動）を止める仕様であってもよい。
【００３０】
なお、画像領域Ｇ１１に、より多くの警報が表示されている場合であって、全ての警報を表示できない場合は、警報は、画像領域Ｇ１１内でスクロール可能とされてもよい。この場合、カーソルＣＳを右端に移動させて更に右ボタン８２を操作することで、警報のスクロールが実現されてもよい。
【００３１】
画像領域Ｇ１３には、泣いている表情のキャラクタが表示されている。キャラクタは、ユーザにより選択可能とされてもよい。この場合、ユーザは自身の好きなキャラクタの表情を見ることができ、ユーザに警報の意味を伝えやすくすることができる。キャラクタの表情は、選択中の警報の危険度を表す。キャラクタの表情は、泣いてる表情、困っている表情、笑っている表情等、複数用意されてよい。
【００３２】
画像領域Ｇ１４には、選択中の警報に係る説明（この例では、「油圧警告灯作動中」）が表示されている。
【００３３】
ここで、図３に示すような種類の警報は、抽象的であり、必ずしも全てのユーザがその意味等を把握しているわけでない。例えば、図５に示す画像領域Ｇ１２内の警報は、エンジンが回転中にエンジンオイルが不足している時やオイル圧力が低下している時に表示されるものであるが、この点を知らないユーザや、この警報の危険度を知らないユーザに対しても、分かりやすいユーザフレンドリな出力態様が望ましい。
【００３４】
そこで、本実施例では、以下で説明するように、メータＥＣＵ２０によるメータ車両情報の出力と、ナビゲーションＥＣＵ３０によるナビ車両情報の出力とを適切に連携させることで、警報を分かりやすいユーザフレンドリな出力態様で出力することを可能とするものである。
【００３５】
すなわち、本実施例では、以下で説明するように、メータ１０にメータ車両情報を出力（表示）する際に、表示装置１２上で、メータ車両情報の詳細を含むナビ車両情報を閲覧可能とする。メータ車両情報の詳細とは、メータ車両情報として表示される各種の警報に対して、警報に係る危険度の分類（例えば３段階の分類）、警報が出力される要因（例えば異常の場合は、その原因）、及び、警報出力時の対処方法（例えば、走行可能であるか、路肩等に退避すべきか等）のうちの少なくともいずれか１つを含む。この場合、ユーザは、メータ車両情報の詳細を、ナビ車両情報から理解しやすくなる。特に、表示装置１２は、メータ１０よりも画面領域が大きく、詳細な情報を表示するのに適しているので、見やすい態様で警報に係る詳細をユーザに伝達できる。なお、警報出力時の対処方法とは、警報出力時の解決方法やアドバイス（例えばディーラー等の施設に車両を持ち込んで、診断や修理をしてもらう等）を含む概念である。
【００３６】
なお、図５では、画像領域Ｇ１４の下側には、「解決方法についてＮＡＶＩをご覧ください」というメッセージ表示Ｍ１５が表示されている。かかるメッセージ表示Ｍ１５を表示することで、ユーザをナビ車両情報へと、より確実に誘引できる。
【００３７】
図８は、ナビ車両情報の表示レイアウトの一例を示す図である。図８には、初期画面用の表示画像Ｇ２０（第１画像の一例）と、初期画面から遷移される詳細画面用の表示画像Ｇ３０（第２画像の一例）が上下に並んで示される。
【００３８】
表示画像Ｇ２０は、表示装置１２に割り込み式で出力されてもよい。例えば、表示装置１２には地図情報の画像が出力されている状態において、表示画像Ｇ２０が一部に重畳される態様又は表示画像Ｇ２０に切り替わる態様で出力されてもよい。
【００３９】
表示画像Ｇ２０は、危険度が比較的高い警報を表示するための画像領域Ｇ２２と、危険度が中くらいの警報を表示するための画像領域Ｇ２３と、危険度が比較的低い警報を表示するための画像領域Ｇ２４とを含む。このようにして、本実施例では、当該警報が出力されたことが意味する危険度を、警報ごとに分類し、危険度ごとに異なる領域に、警報が表示される。これにより、ユーザにとって警報の危険度が分かりやすくなる。なお、表示画像Ｇ２０は、表示するための複数の警報（画像領域Ｇ２２から画像領域Ｇ２４内の各警報の全て）を表示するための画像領域（図示せず）を上部に更に含んでもよい。
【００４０】
表示画像Ｇ３０は、表示画像Ｇ２０から遷移される画像である。例えば、表示画像Ｇ２０が表示されている状態で、ユーザが、特定の１つの警報を選択した場合に、表示画像Ｇ２０から表示画像Ｇ３０への遷移が実現される。特定の１つの警報の選択は、メータ車両情報の場合と同様、カーソルにより実現されてもよいし、表示装置１２がタッチパネルを備える場合は、所望の警報へのタッチ操作により実現されてもよい。
【００４１】
表示画像Ｇ３０は、表示されている複数の警報の一覧を表示するための画像領域Ｇ３１と、一覧のうちの選択中の警報を表示するための画像領域Ｇ３２と、警報キャラクタの顔を表示するための画像領域Ｇ３３と、警報についての解決方法を表示するための画像領域Ｇ３４と、近くの修理可能な場所を表示するための画像領域Ｇ３５とを含む。
【００４２】
図９及び図１０は、ナビ車両情報の表示例を示す図である。図９では、図８に示した表示画像Ｇ２０に係るレイアウト例に従ってメータ車両情報が表示されており、図１０では、図８に示した表示画像Ｇ３０に係るレイアウト例に従ってメータ車両情報が表示されている。
【００４３】
具体的には、図９に示す例では、画像領域Ｇ１１には、メータ１０に表示されている８個の警報のうちの、３つが画像領域Ｇ２２に割り当てられ、他の３つが画像領域Ｇ２３に割り当てられ、残りの２つが画像領域Ｇ２４に割り当てられている。この場合、例えば、ユーザは、どの警報が危険度が高いかをひと目で把握できるので、警報のユーザフレンドリ性を高めることができる。
【００４４】
なお、画像領域Ｇ２２に、より多くの警報が表示されている場合であって、全ての警報を表示できない場合は、警報は、画像領域Ｇ２２内でスクロール可能とされてもよい。これは、他の画像領域Ｇ２３等についても同様である。
【００４５】
図１０に示す例では、画像領域Ｇ３１には、メータ１０に表示されている８個の警報のうちの、危険度が高い順に５つの警報が表示されている。なお、この場合、同様に、他の警報を見ることができるように、例えばボタンＢ１やボタンＢ２により、画像領域Ｇ３１内でスクロール可能とされてもよい。８個の警報は、メータ１０での表示態様と同様の並び順、すなわち左側の方が危険度が高い（緊急性が高い）警報となるように表示されてよい。
【００４６】
また、図１０に示す例では、画像領域Ｇ３２には、選択中の警報（この例では、エンジンオイル系の警報）が表示されている。ユーザは、画像領域Ｇ３１内の複数の警報のうちの、他の１つの警報を選択し直して、画像領域Ｇ３２に表示させることができる。この選択は、例えばカーソルにより実現されてもよいし、表示装置１２がタッチパネルを備える場合は、所望の警報へのタッチ操作により実現されてもよい。
【００４７】
また、図１０に示す例では、画像領域Ｇ３３には、泣いている表情のキャラクタが表示されている。これは、図５の画像領域Ｇ１４と同様である。
【００４８】
また、図１０に示す例では、画像領域Ｇ３４には、選択中の警報（この例では、エンジンオイル系の警報）についての解決方法（この例では、「エンジンが焼き付く可能性があるため・・・」）が表示されている。これにより、ユーザは、対処方法を容易に把握できる。なお、解決方法の文面は、図示のような一般的な文面でなく、キャラクタの喋り言葉を真似た文面であってもよい。この場合、ユーザは、親近感をもって解決方法を読むことができる。また、解決方法の文面は、キャラクタの口調が警報の危険度に応じて変化する態様で、可変とされてもよい。
【００４９】
また、図１０に示す例では、画像領域Ｇ３５には、現在の車両位置に最も近い修理可能な施設（ディーラーや修理工場）が表示されている。なお、表示装置１２がタッチパネルを備える場合、画像領域Ｇ３５をユーザがタッチすると、自動的に当該施設（ディーラーや修理工場）や担当者等に電話が発呼されるように又はメールが送信されるように構成されてもよい。
【００５０】
また、図１０に示す例では、その他、トップ画面（例えば地図情報の画面のような元の画面）に戻るためのボタンＢ３や、表示されていた全ての警報を閲覧するためのボタンＢ４、前の画面（図９の画面）に戻るためのボタンＢ５等が設定されている。例えば走行中に表示されていた警報が消えた場合でも、ユーザは、ボタンＢ４を押すことで、後から警報を確認できる。
【００５１】
なお、本実施例において、ナビ車両情報の表示画面は、メータ車両情報の表示画面と連動してもよい。例えば、ユーザがカーソルＣＳで１つの警報を選択した場合、図９に示す画像においても、同じ警報が連動して選択されてもよい。また、図９に示す表示画像Ｇ２０に代えて、図１０に示す表示画像Ｇ３０が初期的に出力されてもよい。この場合も、メータ１０においてユーザがカーソルＣＳで１つの警報を選択した場合、図１０に示す表示画像Ｇ３０においても同じ警報が連動して選択されてもよい。
【００５２】
ところで、メータ１０では、警報のような車両情報を表示する機能があるが、表示エリアが限られているため、表示できる車両情報の情報量が限られてしまう。従って、メータ１０だけでは、警報などの内容を正確にユーザに伝えるのが困難な場合がある。これは、複数の警報が同時に出力された場合に顕著となる。
【００５３】
この点、本実施例では、例えば、警報が８個同時に発生すると、図５に示すような画像がメータ１０上に出力され、図５に示す画像では、上側の画像領域Ｇ１１に各警報に係るアイコン表示が出力される。各警報に係るアイコン表示は、危険度順に表示され、例えば図６の操作部８０でカーソル選択できる。選択された警報については、画像領域Ｇ１２で拡大表示され、画像領域Ｇ１３には、危険度に応じたキャラクタの表情が表示され、画像領域Ｇ１４には、警報内容を示すテキストが表示される。また、表示装置１２上で警報の詳細（例えば後述するような危険度の分類や対処方法）が閲覧可能であることをユーザに知らせるためのメッセージ表示Ｍ１５が出力される。
【００５４】
この際、どの警報が表示されているのかを示す情報が、メータＥＣＵ２０からナビゲーションＥＣＵ３０へ送信（例えば、ＣＡＮ（Ｃｏｎｔｒｏｌｌｅｒ  Ａｒｅａ  Ｎｅｔｗｏｒｋ）などの車内ＬＡＮや専用通信線経由）される。そして、ナビゲーションＥＣＵ３０によって表示装置１２には、図９に示すように、警報が危険度に分けて各警報に係るアイコン表示が出力される。各警報に係るアイコン表示は、表示装置１２上のタッチ操作によって、選択でき、特定の１つの警報が選択された場合に、図１０に示すように、解決方法についての説明がテキストで表示される。
【００５５】
このようにして、本実施例によれば、メータＥＣＵ２０によるメータ１０上のメータ車両情報の表示と、ナビゲーションＥＣＵ３０による表示装置１２上のナビ車両情報の表示とが連携することで、抽象的なアイコン表示の各警報の意味等を、ユーザに分かりやすい態様で伝達できる。これにより、ユーザは、警報に対して適切な対処を行うことが容易となる。
【００５６】
次に、図１１以降を参照して、表示システム１の動作例について説明する。
【００５７】
図１１は、メータＥＣＵ２０によるメータ車両情報の表示と、ナビゲーションＥＣＵ３０によるナビ車両情報の表示との間の連携態様の一例を示すタイミングチャートである。
【００５８】
図１１では、メータＥＣＵ２０は、警報を表示する契機となるイベントが発生すると（ステップＳ１１００）、イベントに応じた警報を、表示対象の警報として決定する（ステップＳ１１０２）。なお、２つ以上のイベントが同時又は連続して発生したり、１つのイベントに応じて２つ以上の警報が対応付けられたりしている場合等は、２つ以上の表示対象の警報が決定される場合がある。なお、警報を表示する契機となるイベント（警報イベント）は、ＣＡＮ等を介して得られる各種情報に基づいて検出されてもよい。
【００５９】
メータＥＣＵ２０は、表示対象の警報を決定すると、表示対象の警報を表示装置１２上で表示するための表示画像（図９の表示画像Ｇ２０参照）を生成し、当該表示画像のデータをナビゲーションＥＣＵ３０に送信する（ステップＳ１１０４）とともに、表示対象の警報（メータ車両情報）をメータ１０に表示する（ステップＳ１１０５）。
【００６０】
ナビゲーションＥＣＵ３０は、表示画像のデータをメータＥＣＵ２０から受信すると（ステップＳ１１０６）、当該表示画像（ナビ車両情報）を表示装置１２上に出力する（ステップＳ１１０８）。
【００６１】
そして、ユーザが、メータ１０上の警報（図５の表示画像Ｇ１０）を見て、操作部８０を介して、気になる警報を選択する（ステップＳ１１１０）。
【００６２】
メータＥＣＵ２０は、ユーザが選択した警報に応じて、メータ１０上の表示画像を変更する（ステップＳ１１１２）。例えば、カーソルＣＳが移動されると、その都度、カーソルＣＳに対応付けられた警報に基づいて、画像領域Ｇ１２や画像領域Ｇ１４の表示を更新する。
【００６３】
そして、ユーザが、詳しい情報を知りたいと考え、表示装置１２上の表示画面（図９の表示画像Ｇ２０参照）を見て、詳しい情報を知りたい警報を選択する（ステップＳ１１１６）。すなわち、ユーザは、表示装置１２上で、詳しい情報を知りたい警報の位置をタッチ操作する。
【００６４】
この場合、ナビゲーションＥＣＵ３０は、タッチ座標を検出し（ステップＳ１１１８）、タッチ座標をメータＥＣＵ２０に送信する（ステップＳ１１２０）。
【００６５】
メータＥＣＵ２０は、タッチ座標を受信すると（ステップＳ１１２２）、選択された警報を特定し、特定した警報に応じて、表示装置１２上の表示画像を、図９の表示画像Ｇ２０から図１０に示す表示画像Ｇ３０を変更するためのデータ（変更後の表示画像のデータ）を生成し、当該データをナビゲーションＥＣＵ３０に送信する（ステップＳ１１２４）。
【００６６】
ナビゲーションＥＣＵ３０は、変更後の表示画像のデータをメータＥＣＵ２０から受信すると（ステップＳ１１２６）、当該表示画像を表示装置１２上に出力する（ステップＳ１１２８）。
【００６７】
このようにして、図１１に示す例では、メータＥＣＵ２０が、ナビ車両情報の表示処理の一部（表示画像の生成等）を実行し、ナビゲーションＥＣＵ３０が、メータＥＣＵ２０から得た画像データに基づいて、ナビ車両情報の他の一部（表示装置１２に表示する処理）を実行する。ただし、ナビ車両情報の表示処理の分担態様は、任意であり、他の態様であってもよい。
【００６８】
図１２は、メータＥＣＵ２０により実行されるナビ車両情報の表示処理の一例を示すフローチャートである。
【００６９】
ステップＳ１２００では、メータＥＣＵ２０は、警報を表示する契機となるイベントが発生したか否かを判定する。判定結果が“ＹＥＳ”の場合、ステップＳ１２０２に進み、それ以外の場合は、ステップＳ１２１０に進む。
【００７０】
ステップＳ１２０２では、メータＥＣＵ２０は、イベントに応じた警報を、表示対象の警報として決定する。例えばエンジンオイルが不足していることを示す信号が発生した場合、油圧警告灯に係る警報を表示対象の警報として決定する。
【００７１】
ステップＳ１２０４では、メータＥＣＵ２０は、表示対象の警報が複数個あるか、又は、メータ１０に他の警報を表示中であるか否かを判定する。判定結果が“ＹＥＳ”の場合、ステップＳ１２０６に進み、それ以外の場合（表示対象の警報が１つであり、かつ、メータ１０に他の警報を表示中でない場合）は、ステップＳ１２０８に進む。
【００７２】
ステップＳ１２０６では、メータＥＣＵ２０は、複数の警報を危険度別に分類して表示するための表示画像（図９の表示画像Ｇ２０参照）を生成し、ナビゲーションＥＣＵ３０を介して表示装置１２に表示する。この場合、表示装置１２に表示される表示画像は、今回の警報と、表示中の他の警報とを、危険度別に分類して表示する。
【００７３】
ステップＳ１２０８では、メータＥＣＵ２０は、今回の警報に係る対処方法を表示するための表示画像（図１０の表示画像Ｇ３０参照）を生成し、ナビゲーションＥＣＵ３０を介して表示装置１２に表示する。
【００７４】
ステップＳ１２１０では、メータＥＣＵ２０は、表示装置１２上で複数の警報を危険度別に分類して表示するための表示画像（図９の表示画像Ｇ２０参照）を表示中であるか否かを判定する。なお、図９の表示画像Ｇ２０のようなナビ車両情報に係る表示画像は、トップ画面（例えば地図情報の画面のような元の画面）に戻るためのボタンＢ３（図９参照）が操作される等により非表示となる。判定結果が“ＹＥＳ”の場合、ステップＳ１２１２に進み、それ以外の場合は、そのまま終了する。
【００７５】
ステップＳ１２１２では、メータＥＣＵ２０は、表示装置１２上で特定の１つの警報を選択する選択操作があったか否かを判定する。判定結果が“ＹＥＳ”の場合、ステップＳ１２１４に進み、それ以外の場合は、そのまま終了する。
【００７６】
ステップＳ１２１４では、メータＥＣＵ２０は、選択された特定の１つの警報に係る対処方法を表示するための表示画像（図１０の表示画像Ｇ３０参照）を生成し、ナビゲーションＥＣＵ３０を介して表示装置１２に表示する。
【００７７】
図１２に示す処理によれば、複数の警報が表示される場合だけ、表示装置１２に、複数の警報を危険度別に分類して表示するための表示画像（図９の表示画像Ｇ２０参照）が表示され、単一の警報が表示される場合は、当該警報に係る対処方法を表示するための表示画像（図１０の表示画像Ｇ３０参照）が直接的に表示される。このようにして、表示される警報の数に応じて表示装置１２に初期的に出力される表示画像が変化されてもよい。
【００７８】
なお、図１２に示す例では、複数の警報が表示される場合だけ、表示装置１２に、複数の警報を危険度別に分類して表示するための表示画像（図９の表示画像Ｇ２０参照）が表示されるが、単一の警報が表示される場合も、表示装置１２に、図９の表示画像Ｇ２０が表示されてもよい（すなわち当該単一の警報を危険度別に分類して表示されてもよい）。
【００７９】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８０】
例えば、上述した実施例では、ユーザは、メータ１０上でカーソルＣＳを移動させて所望の警報を選択できるが、更に、選択確定操作が可能とされてもよい。例えば、ストップボタン８５に代えて又は加えて、確定ボタンが操作部８０に設けられてもよい。この場合、ユーザが、所望の警報を選択して選択確定操作を行うと、表示装置１２上の表示画像が、当該選択された警報に係る表示画像（図１０に示す表示画像Ｇ３０参照）に連動して遷移されてもよい。この場合、メータ１０に対応付けられたユーザーインターフェースである操作部８０を介した、メータ１０上の表示画像とともに表示装置１２上の表示画像を操作できるので、ユーザビリティを高めることができる。
【００８１】
また、上述した実施例において、メータ１０上の表示画像Ｇ１０は、所定の表示終了条件が成立した場合に終了されてよい。所定の表示終了条件は、任意であるが、例えば所定時間が経過した場合に満たされてもよい。あるいは、所定の表示終了条件は、表示装置１２上の表示画像が、図９に示す表示画像Ｇ２０から図１０に示す表示画像Ｇ３０へと遷移した場合に満たされてもよい。この場合、ユーザは、表示装置１２上で警報の内容を確認している可能性が高く、メータ１０上の表示画像Ｇ１０の役割が終了したと判断できるためである。すなわち、メータ１０上の表示画像Ｇ１０は、ユーザを表示装置１２上の表示画像Ｇ２０又は表示画像Ｇ３０に誘引する役割もあり、かかる役割が果たされた時点で非表示とされてもよい。この場合、メータ１０には、車速情報等が通常通り表示されるので、警報の表示に起因したユーザの運転の支障（ディストラクション）を低減できる。
また、上述した実施例において、ステアリングハンドル９０の前方側に設けられるメータ１０と、ナビゲーションＥＣＵによって制御される表示装置１２を例に挙げて説明したが、表示装置１２は、経路案内用に限らず、運転席に着座した運転者がタッチ操作可能な位置に設けられる表示デバイスを用いることができる。例えば、ステアリングハンドル９０の周囲に設けられるサイドパネルに実装されるタッチ操作可能な表示装置を適用できる。これにより、ステアリングハンドル９０が介在するためにタッチ操作が不向きであるものの運転中でも視認性が良好な位置に実装されるメータと、タッチ操作が容易で広めの表示エリアを有する表示装置とが連携しつつ、それぞれ好適な表示種類が選択されることで理解しやすい車両情報を提供できる。
【符号の説明】
【００８２】
１  表示システム
１０  メータ
１２  表示装置
８０  操作部
８１  左ボタン
８２  右ボタン
８３  上ボタン
８４  下ボタン
８５  ストップボタン
９０  ステアリングハンドル
【図１】
2020069979.tif 000003
【図２】
2020069979.tif 000004
【図３】
2020069979.tif 000005
【図４】
2020069979.tif 000006
【図５】
2020069979.tif 000007
【図６】
2020069979.tif 000008
【図７】
2020069979.tif 000009
【図８】
2020069979.tif 000010
【図９】
2020069979.tif 000011
【図１０】
2020069979.tif 000012
【図１１】
2020069979.tif 000013
【図１２】
2020069979.tif 000014